(57)【要約】      （修正有）【課題】被検者の体動や被験者の測定部位における体表面の空気層などによりアーチファクトが生じて画像が不鮮明になることを積極的に抑え、より鮮明な画像を与えるために有効な磁気共鳴診断用組成物を提供する。【解決手段】水素含有量の少ない中・高粘度体または常磁性物質を含有する中・高粘度体からなり、Ｔ２強調画像とＴ１強調画像のいずれにおいても高信号を示さず、被験者に接触して使用されることを特徴とする磁気共鳴診断用組成物。【選択図】図１
2009028506.tif 000002
【特許請求の範囲】
【請求項１】
磁気共鳴画像診断において被験者に接触させて用いる磁気共鳴診断用組成物であって、Ｔ２強調画像とＴ１強調画像のいずれにおいても高信号を示さない中・高粘度体からなることを特徴とする磁気共鳴診断用組成物。
【請求項２】
Ｔ２強調画像では無信号であるかまたは低信号を示し、Ｔ１強調画像では無信号であるか、低信号または中間信号を示すものであることを特徴とする請求項１に記載の磁気共鳴診断用組成物。
【請求項３】
常磁性物質を含有する中・高粘度体からなることを特徴とする請求項１または２に記載の磁気共鳴診断用組成物。
【請求項４】
常磁性物質は、磁気共鳴診断用組成物がＴ２強調画像では無信号であるかまたは低信号を示し、Ｔ１強調画像では無信号であるか、低信号または中間信号を示す濃度で含有されていることを特徴とする請求項１に記載の磁気共鳴診断用組成物。
【請求項５】
中・高粘度体は、高分子化合物と媒体とからなり、常磁性物質は、遷移金属化合物であることを特徴とする請求項３または４に記載の磁気共鳴診断用組成物。
【請求項６】
高分子化合物が多糖類であることを特徴とする請求項５に記載の磁気共鳴診断用組成物。
【請求項７】
中・高粘度体は、カルボキシメチルセルロースと、水または酸水溶液とからなり、常磁性物質は、マンガン化合物であることを特徴とする請求項５に記載の磁気共鳴診断用組成物。
【請求項８】
中・高粘度体は、シリコーンであることを特徴とする請求項１から４のいずれかに記載の磁気共鳴診断用組成物。
【請求項９】
中・高粘度体は、体表面の凹凸を埋める形状であることを特徴とする請求項１から８のいずれかに記載の磁気共鳴診断用組成物。
【発明の詳細な説明】
【技術分野】
【０００１】
本発明は、磁気共鳴診断用組成物に関するものである。
【背景技術】
【０００２】
磁気共鳴画像診断は、放射線を使用しないため人体への影響が少なく、生体の内部情報を画像化する方法の中でも現在最もよく用いられている診断方法の一つである。
【０００３】
しかし、被検者の体動や被検者の測定部位の体表面における空気層などにより、アーチファクト（本当は存在しない偽像）が生じて画像が不鮮明になり、診断が不正確になる場合があった。
【０００４】
そのため、体動を抑えてより鮮明な磁気共鳴診断画像を得るために、各々の医療機関で工夫がなされている。たとえば、水をポリ袋に入れたwater bagを磁気共鳴画像診断装置のコイルと被検者の体表面との間に置く方法が提案されている（非特許文献１参照）。しかしこの方法では、water bagの形状が不安定であるため被検者の体表面との接触保持性が悪く、被検者に不安定感を与え測定中の体動防止効果が低くなるという問題点があり、また操作性が悪く扱いにくいという問題点もある。さらに、水に起因するＴ２強調画像での高信号が組織の画像を不鮮明にし、これが診断の妨げになるという問題点もある。
【０００５】
また、超音波診断用ゲルを入れた絶縁体パッドを磁気共鳴画像診断装置のコイルと被験者の体表面との間に置く方法も提案されている（特許文献１参照）。しかしこの方法は、体動防止には有効であるが、水の場合と同様に、超音波診断用ゲルに起因するＴ２強調画像での高信号が組織の画像を不鮮明にし、正確な診断が妨げられるという問題点を有する。
【０００６】
また、特許文献１にはアーチファクトを防止する方法としてゼラチンを利用する方法も提案されているが、これは人体等価ファントムに関するものであり、人体等価誘電体特性を有するゲルを目的とするものである。したがって本発明とは本質的に課題を異にしており、本発明を何ら示唆するものではない。
【非特許文献１】中本裕士ら；日本磁気共鳴医学会誌, 第26巻4号, 218-229頁
【特許文献１】特開２００４−２３６８７６号公報
【発明の開示】
【発明が解決しようとする課題】
【０００７】
以上のように、従来では、被検者の体動や被験者の測定部位における体表面の空気層などによる静磁場強度の不均一に起因するアーチファクト（本当は存在しない偽像）や画像の劣化を抑制して、正確な診断を可能とする鮮明な画像を常に得ることは困難であった。
【０００８】
そこで本発明は、このような従来技術の問題点を解消し、被検者の体動や被験者の測定部位における体表面の空気層などによりアーチファクトや画像の劣化が生じて画像が不鮮明になることを積極的に抑え、より鮮明な画像を与えるために有効な、扱い易く、被検者に不快な感触を与えない磁気共鳴診断用組成物を提供することを課題としている。
【課題を解決するための手段】
【０００９】
本発明は、上記の課題を解決するものとして、以下のことを特徴としている。
【００１０】
磁気共鳴画像診断において被験者に接触させて用いる磁気共鳴診断用組成物であって、Ｔ２強調画像とＴ１強調画像のいずれにおいても高信号を示さない中・高粘度体からなることを特徴とする磁気共鳴診断用組成物。
【００１１】
Ｔ２強調画像では無信号であるかまたは低信号を示し、Ｔ１強調画像では無信号であるか、低信号または中間信号を示すものであることを特徴とする上記第１の磁気共鳴診断用組成物。
【００１２】
常磁性物質を含有する中・高粘度体からなることを特徴とする上記第１または第２の磁気共鳴診断用組成物。
【００１３】
常磁性物質は、磁気共鳴診断用組成物がＴ２強調画像では無信号であるかまたは低信号を示し、Ｔ１強調画像では無信号であるか、低信号または中間信号を示す濃度で含有されていることを特徴とする上記第１の磁気共鳴診断用組成物。
【００１４】
中・高粘度体は、高分子化合物と媒体とからなり、常磁性物質は、遷移金属化合物であることを特徴とする上記第３または第４の磁気共鳴診断用組成物。
【００１５】
高分子化合物が多糖類であることを特徴とする上記第５の磁気共鳴診断用組成物。
【００１６】
中・高粘度体は、カルボキシメチルセルロースと、水または酸水溶液とからなり、常磁性物質は、マンガン化合物であることを特徴とする上記第５の磁気共鳴診断用組成物。
【００１７】
中・高粘度体は、シリコーンであることを特徴とする上記第１から第４のいずれかの磁気共鳴診断用組成物。
【００１８】
中・高粘度体は、体表面の凹凸を埋める形状であることを特徴とする上記第１から第８のいずれかの磁気共鳴診断用組成物。
【発明の効果】
【００１９】
上記のとおり本発明によれば、磁気共鳴（ＭＲ）画像診断において被検者の体動、体表面の空気層によるアーチファクトや画像の劣化を抑えることができる。
【００２０】
また、超音波診断用ゲルを入れた絶縁体パッドや水を入れたwater bagを被検者に載せた場合に高信号のＴ２強調画像を与えて診断の妨げになるのとは異なり、本発明の組成物を用いた場合にはＴ１強調画像では無信号であるか、低信号または中間信号を示し、Ｔ２強調画像では無信号であるかまたは低信号を示すため、診断の妨げになることはない。
【００２１】
また、中・高粘度体により被検者の体動を抑止することができる。さらに、たとえば水や溶液などの低粘度の液体を用いる場合ではポリ袋の中に入れたwater bagとして使用する必要があるが、中・高粘度体を用いた本発明では、形状をそのまま保持できるので、操作性が良く扱いが容易である。
【００２２】
また、中・高粘度体を被検者の測定部位における肌に直接接触させるか、または布やフィルムに包み接触保持させて、中・高粘度体で体表面における凹凸を埋めることで、肌との密着性を向上させることができ、体表面の空気層などによる画像の劣化を抑制できる。
【００２３】
また、本発明の組成物は、水素含有量の少ない中・高粘度体、または常磁性物質を含有する中・高粘度体から構成されているので、組成物に起因するＭＲＩ信号を抑制し、被験者の体動や測定部位の体表面における空気層などによるアーチファクトや画像の劣化を低減することができる。
【００２４】
さらに、本発明の組成物は、中・高粘度体からなるものであり、被検者の肌に密着させても皮膚への残留物はなく、被検者に不快な感触を与えることがない。
【発明を実施するための最良の形態】
【００２５】
本明細書における用語等の定義および説明を以下に示す。
（１）「Ｔ１」はスピン−格子緩和時間を示す。
（２）「Ｔ２」はスピン−スピン緩和時間を示す。
（３）Ｔ１強調画像において、脂肪は高信号、筋肉は低信号を示す。筋肉と同程度の信号は低信号、脂肪と同程度の信号は高信号と定義し、中・高粘度体による信号強度をそれら基準になる信号強度と比較し、筋肉の信号と同程度の信号を低信号、筋肉の信号と脂肪の信号との中間の信号を中間信号、脂肪の信号以上の信号を高信号と定義する。
（４）Ｔ２強調画像において、水は高信号、筋肉は低信号を示す。中・高粘度体による信号強度をそれら基準になる信号強度と比較し、筋肉の信号と同程度の信号を低信号、筋肉の信号と水の信号との中間の信号を中間信号、水の信号以上の信号を高信号と定義する。
（５）脂肪抑制Ｔ１強調画像は、Ｔ１強調画像で脂肪の信号を選択的に低下させ、病変を検出し易くする方法によるものである。
【００２６】
以下に、本発明の実施の形態について説明する。
【００２７】
本発明において用いられる中・高粘度体には、次のものが含まれる。
中粘度体：流動性があり、粘度が1,000〜50,000 mPa・ｓの流動体
高粘度体：ペースト状であり、粘度が50,000〜500,000 mPa・ｓの流動体（ゲルを含む）
本発明において用いられる中・高粘度体は、単独の物質からなるものであってもよく、あるいは、媒体と混合されることにより流動性が付与されたもの、既知の方法により橋かけされ高い粘度が付与されたものであってもよい。
【００２８】
中・高粘度体に常磁性物質を含有させる場合には、中・高粘度体を構成する物質と媒体の種類は、当該物質と媒体の組み合わせによって中・高粘度を示し、常磁性物質を溶解または分散できるものであれば特に制限はない。
【００２９】
また、媒体を用いずに単独で中・高粘度体を構成するものを使用してもよい。
【００３０】
また、中・高粘度体が媒体としての水を含まず、水素含有量が少なく、かつ、Ｔ２強調画像では無信号であるかまたは低信号を示し、Ｔ１強調画像では無信号であるか、低信号または中間信号を示すものであれば、中・高粘度体に常磁性物質を含有させる必要はない。
【００３１】
また、中・高粘度体は、ゲル化したものでもよいし、ゲル化していなくても中・高粘度のものであれば適宜のものを用いることができる。
【００３２】
好適には、中・高粘度体を構成する物質は高分子化合物であり、常磁性物質を溶解または分散できるものであることが望ましい。高分子化合物の具体例としては、ポリアクリル酸、ポリビニルアルコール、ポリビニルピロリドン、ポリエチレングリコール等の合成高分子類、ヒドロキシエチルセルロース、ヒドロキシプロピルセルロース、メチルセルロース、ヒドロキシプロピルメチルセルロース、ヒドロキシエチルメチルセルロース、カルボキシメチルセルロース、ゼラチン、アルギン酸、寒天、コンニャク、グルコマンナン、キサンタンガム、スターチ、ペクチン、ヒアルロン酸等の天然高分子類、カルボキシメチルスターチ、カルボキシメチルキトサン、カルボキシメチルキチン、キトサン等の天然高分子由来高分子、水ガラス、シリコーンなどが挙げられる。これらの高分子化合物は必ずしも単独で用いる必要はなく、グルコマンナンとキサンタンガムの協同効果ゲルや、コンニャクゼリー等のように２種類以上の高分子化合物を混合して用いても差し支えない。
【００３３】
高分子化合物の濃度は、特に制限はないが、たとえば、高分子化合物と媒体の合計量に対して重量比で１〜１００％である。また高分子化合物の中・高粘度体は、適宜の方法によって製造することができるが、たとえば、水との混練、混練後の放射線照射、酸との混練等の手段によって製造することができる。
【００３４】
繰り返し使用し、被検者の身体に密着するという観点からは、中・高粘度体として市販されているシリコーン、天然ゴム、合成ゴム、エラストマーを原料として使用することができる。市販の天然ゴム、合成ゴム、エラストマーをそのまま使用する他、市販の２成分付加反応型シリコーンまたは２成分縮合型シリコーンを混練して中・高粘度体として使用することができる。
【００３５】
シリコーン、天然ゴム、合成ゴム、エラストマーからなる中・高粘度体は、媒体としての水を含まないので、多糖類ゲルを初めとするハイドロゲルに比較して水素含有量は少ない。これらの中・高粘度体を用いる場合には、Ｔ２強調画像では無信号であるかまたは低信号を示し、Ｔ１強調画像では無信号であるか、低信号または中間信号を示すものであれば、必ずしも常磁性物質を含有するものでなくてもよい。シリコーンは、混練の方法により強度、粘着力、伸びを容易にコントロールできるので、磁気共鳴診断用組成物として好適である。
【００３６】
本発明では、中・高粘度体に含有させる常磁性物質として、無機物、有機物、無機物と有機物の複合体または混合物など、特に制限なく適宜のものを用いることができる。本発明に用いられる常磁性物質の具体例としては、塩化マンガン、酢酸マンガン、硫酸マンガン、一酸化マンガン、二酸化マンガン等のマンガン化合物、塩化ニッケル、塩化コバルト、塩化第一鉄、塩化第二鉄、塩化ガドリニウム等の遷移金属を含む化合物、炭素等の無機物、ＴＥＭＰＯ（2,2,6,6-テトラメチル-ピペリジニルオキシラジカル）等の不対電子を有する有機物、炭素を主成分とする墨汁等の無機物と有機物の混合物などが挙げられる。中でも、遷移金属化合物および炭素が好ましい。常磁性物質の濃度は、Ｔ２強調画像では無信号であるかまたは低信号を示し、Ｔ１強調画像では無信号であるか、低信号または中間信号を示すものであれば任意の濃度としてよい。
【００３７】
中・高粘度体と常磁性物質の組み合わせとして好適な具体例としては、中・高粘度体が多糖類と媒体とからなるものであり、常磁性物質が遷移金属化合物であるものを挙げることができる。多糖類は、環境への負荷が少ない植物由来である点や生体に優しい点から望ましい材料である。
【００３８】
中・高粘度体と常磁性物質の組み合わせとして好適な他の具体例としては、中・高粘度体がカルボキシメチルセルロースと、水または酸水溶液とからなり、常磁性物質が塩化マンガン等のマンガン化合物であるものを挙げることができる。
【００３９】
カルボキシメチルセルロースは、環境への負荷が少ない植物由来である点等から望ましい材料であり、塩化マンガンは、毒性が低く、使用量が少なくて済む点から望ましい材料である。
【００４０】
同様に、グルコマンナンとカラギーナン、キサンタンガムの協同効果ゲルも環境への負荷が少ない、資源循環型の材料であり中・高粘度体として好ましい。
【００４１】
本発明に係る磁気共鳴診断用組成物は、たとえば、図１のフローチャートにも示すように、中・高粘度体を与える物質Ａと、常磁性物質と、媒体とを均一に混練することにより、物質Ａと媒体との混練により中・高粘度体を与え、あるいはゲル化されて高粘度体を与えることで製造することができる。なお、物質Ａの濃度は、常磁性物質と物質Ａが媒体によって均一に混練できる濃度であれば特に制限はなく、媒体の種類は、用いる物質Ａおよび常磁性物質に依存するが、両者を均一に混練できるものであれば特に制限はない。物質Ａとして水溶性高分子を用いる場合には、媒体として水を含むことが望ましい。２種類以上の媒体を混合して用いてもよい。
【００４２】
また、磁気共鳴診断用組成物としてのシリコーンゲルまたはシリコーンゴムは、たとえば、図２（ａ）のフローチャートに示すように、市販のシリコーン混和物と常磁性物質を均一に混練した後に、脱泡、加熱することによって製造することができる。シリコーンゲルとシリコーンゴムは、媒体としての水を必要としないので、図２（ｂ）のフローチャートに示すように常磁性物質の混練を省略して磁気共鳴診断用組成物を製造することもできる。
【００４３】
以上のようにして得られた中・高粘度体は、画像診断分野において好適に用いることができ、磁気共鳴画像診断において鮮明な画像を撮像することが可能である。
【実施例】
【００４４】
そこで以下に実施例を示し、さらに詳しく説明する。もちろん、以下の例示によって発明が限定されることはない。
【００４５】
以下の一部の実施例では、調製した中・高粘度体を、被検者の下肢大腿部に図３のようにテープで貼り付け、磁気共鳴装置を用いて撮像を行った。
【００４６】
また、以下の一部の実施例では、図４（ａ）に示す市販のダンベル容器に水とサラダオイルを等容入れ、人体モデルとした。ダンベル容器の中央部分と、両端部分は細くなっている。サラダオイルはダンベル容器の上半分を占め、水は下半分を占める。このダンベル容器に中・高粘度体を巻いた状態の模式図を図４（ｂ）に示す。中・高粘度体は、ダンベル容器中央の細い部分を埋めるように巻き付けた。
＜実施例１＞
カルボキシメチルセルロース２０ｇ、塩化マンガン、および０.５Ｍ塩酸８０ｇを、市販のミキサー（（株）シンキー製「あわとり練太郎」）で混練し、得られたペーストをポリ袋に入れて３０℃で３日間保存し、ゲル化させて高粘度体を得た。
【００４７】
塩化マンガンの濃度をそれぞれ１０ｍＭ，５ｍＭ，２．５ｍＭ，１ｍＭ，０．７５ｍＭ，０．５ｍＭとした６種類の試料を調製し、調製した高粘度体をポリ袋に入れたまま、被検者の下肢大腿部に貼り付け、１．５Ｔ（テスラー）の磁気共鳴画像診断装置を用いて測定を行った。その結果を図５（ａ）、（ｂ）に示す。図中、ＭＲ信号が低いものについては点線でゲルを貼り付けた位置を示した。
【００４８】
図５（ａ）のＴ１強調画像で、塩化マンガン濃度１０ｍＭ以下の高粘度体で無信号、低信号または中間信号、図５（ｂ）のＴ２強調画像で、塩化マンガン濃度１０ｍＭ以下で無信号または低信号であった。
＜実施例２＞
中・高粘度体を形成するための物質Ａと、常磁性物質と、媒体とを混練して、磁気共鳴画像診断用の各種の中・高粘度体を調製した。物質Ａおよび常磁性物質の種類と濃度、媒体の種類、および中・高粘度体の調製方法を表１に示す。
【００４９】
【表１】
2009028506.tif 000003
【００５０】
調製した中・高粘度体をポリ袋に入れ、被検者の下肢大腿部にテープで貼り付け、１．５Ｔ（テスラー）の磁気共鳴画像診断装置を用いて測定を行った。その結果を図６に示す。
【００５１】
図６（ａ）のＴ１強調画像において、調製した全ての磁気共鳴画像診断用の中・高粘度体は、低信号から中間信号を示した。また、図６（ｂ）のＴ２強調画像において、調製した全ての磁気共鳴画像診断用の中・高粘度体は、無信号であった。
＜実施例３＞
市販のダンベル用容器に水とサラダオイルを等容入れ、人体モデルとし、１．５Ｔ（テスラー）の磁気共鳴画像診断装置を用いて測定を行った。ダンベル用容器の細い部分に上記実施例１で作製した１０ｍＭ塩化マンガン入りカルボキシメチルセルロースゲルを巻いて撮影した脂肪抑制Ｔ１強調画像を図７（ａ）に示す。ダンベル容器の細い部分の右端に一部信号強度が高い部分が認められるが、サラダオイル部分の信号が抑制され、ゲルを巻いていない右端を除けば、ほぼ無信号であった。水部分の信号は均一であり、弱信号であった。
＜実施例４＞
塩化マンガンを含むグルコマンナンとキサンタンガムの各１％溶液を混合し、ゲルを調製した。そのゲルを被検者の肩にのせ、１．５Ｔ（テスラー）の磁気共鳴画像診断装置を用いて測定を行った（図８（ａ））。右肩（図８（ａ）の写真では左側）には１０ｍＭの塩化マンガンを含むゲル、左肩（図８（ａ）の写真では右側）には５ｍＭの塩化マンガンを含むゲルをのせて撮像した。図８（ａ）はその脂肪抑制Ｔ１強調画像である。同画像より、アーチファクトの低減が認められた（比較例４，図８（ｂ）参照）。
＜実施例５＞
市販のダンベル用容器に水とサラダオイルを等量入れ、人体モデルとし、ダンベル容器の中央の細い部分にモメンティブ・パフォーマンス・マテリアルズ・ジャパン合同会社製２成分付加反応型室温硬化シリコーンポッティングゲルＴＳＥ３０７０（Ａ）とＴＳＥ３０７０（Ｂ）を混練し調製したシリコーンゲルを巻き、１．５Ｔ（テスラー）の磁気共鳴画像診断装置を用いて測定を行った。その結果を図９（ａ）に示す。図９（ａ）は、ダンベル中央部の細い部分にマンガンを含まないシリコーンゲルを巻いて撮像した脂肪抑制Ｔ１強調画像であるが、シリコーンゲルを巻いた部分はアーチファクトが抑えられた。酸化マンガンを１０ｍＭまで含むシリコーンゲルを巻いた場合にも、アーチファクトが抑えられ、容器の凹凸をゲルで埋めることがアーチファクトの低減に有効であることが分かった。下半分は均一な信号強度であった。シリコーンゲルは水を主成分とする多糖類ハイドロゲルに比較して水素含有量が少なく、常磁性物質を含まなくてもＴ１強調画像、Ｔ２強調画像、脂肪抑制Ｔ２強調画像でほぼ無信号、脂肪抑制Ｔ１強調画像で弱信号を示した。
＜比較例１＞
ポリ袋に入れシールした水、およびカルボキシメチルセルロース２０ｇと水８０ｇを混練して得たペースト状高粘度体の磁気共鳴画像を図１０に示す。図１０（ａ）はＴ１強調画像、図１０（ｂ）はＴ２強調画像である。１はポリ袋に入れた水、２はカルボキシメチルセルロース２０ｇと水８０ｇを混練して得たペースト状高粘度体の磁気共鳴画像であるが、いずれもＴ１強調画像で低信号、Ｔ２強調画像で高信号を示した。
＜比較例２＞
市販の超音波診断用ゲル（ソノゼリー）をポリ袋に入れて測定した磁気共鳴画像のＴ１強調画像とＴ２強調画像を図１１に示す。図１１（ａ）はＴ１強調画像、図１１（ｂ）はＴ２強調画像である。両脚の間に超音波診断用ゲルを入れたポリ袋を置き、測定した画像であるが、超音波診断用ゲルはＴ１強調画像で低信号、Ｔ２強調画像で高信号を示した。
＜比較例３＞
市販のダンベル用容器に水とサラダオイルを等容入れ、人体モデルとし、１．５Ｔ（テスラー）の磁気共鳴画像診断装置を用いて測定を行った。Ｔ１強調画像を図７（ｂ）、脂肪抑制Ｔ１強調画像を図７（ｃ）に示す。Ｔ１強調画像では、サラダオイル部分が均一な高信号、脂肪抑制Ｔ１強調画像はダンベル容器の細い部分が高信号であり、アーチファクトが認められた。実施例３、図７（ａ）に示した１０ｍＭ塩化マンガン入りカルボキシメチルセルロースゲルを巻いて撮影した脂肪抑制Ｔ１強調画像との比較を表２にまとめて示す。
【００５２】
【表２】
2009028506.tif 000004
【００５３】
＜比較例４＞
１．５Ｔ（テスラー）の磁気共鳴画像診断装置を用いて、中・高粘度体を使用せずに実施例４と同じ条件にて測定した、被検者の肩から首部分の脂肪抑制Ｔ１強調画像を図８（ｂ）に示す。実施例４、図８（ｂ）に比較してアーチファクトが肩部分に強く認められた。
＜比較例５＞
市販のダンベル用容器に水とサラダオイルを等容入れ、人体モデルとし、ダンベル容器の中央の細い部分に市販のシリコーン混和物２種類と一酸化マンガンを１００ｍＭになるように混練し調製したシリコーンゲルを巻き、１．５Ｔ（テスラー）の磁気共鳴画像診断装置を用いて測定した脂肪抑制Ｔ１強調画像を図９（ｂ）に示す。図９（ｂ）の脂肪抑制Ｔ１強調画像においては、上半分の細い部分の信号強度が他の部分の信号強度に比較して高い部分が認められた。マンガンの濃度が高過ぎる場合には磁場の乱れを起こすこと、中・高粘度体に含まれる常磁性物質の濃度には最適な濃度範囲があることを示すものである。シリコーンゲルはほぼ無信号であった。実施例５との比較を表３にまとめて示す。
【００５４】
【表３】
2009028506.tif 000005
【００５５】
＜比較例６＞
市販のダンベル用容器に水とサラダオイルを等量入れ、人体モデルとし、ダンベル容器の中央の細い部分にＣＭＣとクエン酸を混練して調製したゲルを巻き、１．５Ｔ（テスラー）の磁気共鳴画像診断装置を用いて測定を行った。その結果を図１２に示す。図１２（ａ）のＴ２強調画像、図１２（ｂ）の脂肪抑制Ｔ２強調画像共にアーチファクトは認められないが、ゲルの信号強度が高く、核磁気共鳴画像診断において有用なゲルとはなり得ない。これらの結果をまとめ、表２に示す。
【図面の簡単な説明】
【００５６】
【図１】本発明に係る磁気共鳴診断用組成物の製造方法の概略構成を示すフローチャートである。
【図２】本発明に係る磁気共鳴診断用組成物のシリコーンゲル製造方法の概略構成を示すフローチャートである。図２（ａ）は、常磁性物質を含むシリコーンゲルの製造方法、図２（ｂ）は常磁性物質を含まないシリコーンゲルの製造法を示すフローチャートである。
【図３】カルボキシメチルセルロースと塩化マンガンと０．５Ｍ塩酸を混練して得られた磁気共鳴診断用組成物の磁気共鳴撮像状態を示す模式図である。
【図４】図４（ａ）は市販のダンベル容器にサラダオイルと水を等容入れた状態を示す写真である。図４（ｂ）は、図４（ａ）のダンベル容器に中・高粘度体を巻いた状態を示す模式図である。
【図５】カルボキシメチルセルロースと濃度の異なる塩化マンガンと０．５Ｍ塩酸を混練して得られた磁気共鳴診断用組成物を大腿部に貼り付け撮像した磁気共鳴画像である。図５（ａ）はＴ１強調画像、図５（ｂ）はＴ２強調画像である。
【図６】各種高分子化合物と、常磁性物質と媒体を混練し得られた磁気共鳴診断用組成物の磁気共鳴画像を示す図である。図６（ａ）はＴ１強調画像、図６（ｂ）はＴ２強調画像である。
【図７】図７（ａ）は市販のダンベル容器にサラダオイルと水を等容入れ、ダンベル容器の中央部分を１０ｍＭ塩化マンガン入りカルボキシメチルセルロースゲルで巻いて撮影した脂肪抑制Ｔ１強調画像、図７（ｂ）はゲルを巻かないで撮影したＴ１強調画像、図７（ｃ）はゲルを巻かないで撮影した脂肪抑制Ｔ１強調画像である。
【図８】被検者の首から肩にかけての脂肪抑制Ｔ１強調画像である。図８（ａ）は被検者の右肩（写真では左側）に１０ｍＭ塩化マンガン入りゲル、左肩（写真では右側）に５ｍＭ塩化マンガン入りゲルをのせて撮影した脂肪抑制Ｔ１強調画像である。図８（ｂ）は、肩に何ものせずに撮影した脂肪抑制Ｔ１強調画像である。
【図９】市販のダンベル用容器にサラダオイルと水を等量入れ、市販のシリコーン混和物を混練して調製したシリコーンゲルをダンベル容器中央の細い部分に巻いて撮影した脂肪抑制Ｔ１強調画像である。図９（ａ）はマンガンを含まないシリコーンゲルをダンベル容器に巻いた図、図９（ｂ）は１００ｍＭマンガンを含むシリコーンゲルをダンベル容器に巻いた図である。
【図１０】ポリ袋に入れシールした水（１）およびカルボキシメチルセルロース２０ｇと水８０ｇを混練して得たペースト状高粘度体（２）の磁気共鳴画像を示す図である。図１０（ａ）はＴ１強調画像、図１０（ｂ）はＴ２強調画像である。
【図１１】市販の超音波診断用ゼリーの磁気共鳴画像を示す図である。図８（ａ）はＴ１強調画像、図８（ｂ）はＴ２強調画像である。
【図１２】市販のダンベル用容器にサラダオイルと水を等量入れ、ＣＭＣとクエン酸水溶液を混練して調製したゲルをダンベル容器中央の細い部分に巻いて撮影した図である。図１２（ａ）はＴ２強調画像、図１２（ｂ）は脂肪抑制Ｔ２強調画像を示す図である。
【図１】
2009028506.tif 000006
【図２】
2009028506.tif 000007
【図３】
2009028506.tif 000008
【図４】
2009028506.tif 000009
【図５】
2009028506.tif 000010
【図６】
2009028506.tif 000011
【図７】
2009028506.tif 000012
【図８】
2009028506.tif 000013
【図９】
2009028506.tif 000014
【図１０】
2009028506.tif 000015
【図１１】
2009028506.tif 000016
【図１２】
2009028506.tif 000017